(57)【要約】      （修正有）【課題】高いセキュリティーを図りつつ、学習履歴として修得した授業科目等のキャリアに関する本人情報を、ＵＳＢを介してコンピュータ上のデータベースから書き込んだり最新データに書き換えることができるＩＤカードを提供する。【解決手段】薄いカード状の筐体１の内部に収納自在なＵＳＢコネクタ２０を介して、コンピュータの間で本人情報に関するデータのやり取りが自在な身分証明用ＩＤカードであり、ＵＳＢコネクタ２０は、筐体１内のフラッシュメモリとコントロールＩＣが実装された回路基板２３に電気的に接続され、ＵＳＢコネクタ２０が筐体１の外周から突出又は外周に収納自在であると共に、筐体１の表面１０等に一部現出された指紋認証感知部２７が、回路基板２３に電気的に接続され、ＵＳＢコネクタ２０がコンピュータに接続された状態で、指紋認証感知部２７により本人確認され所望システムのデータベースにアクセス可能である。【選択図】図１
0003135445.tif 000002
【実用新案登録請求の範囲】
【請求項１】
薄いカード状の筐体の内部に収納自在なＵＳＢコネクタを介して、コンピュータとの間で本人情報に関するデータのやり取りが自在な身分証明用ＩＤカードであり、前記ＵＳＢコネクタは、筐体内のフラッシュメモリとコントロールＩＣが実装された回路基板に電気的に接続され、当該ＵＳＢコネクタが前記筐体の外周から突出又は外周に収納自在であると共に、前記筐体の表面又は裏面に一部現出された指紋認証感知部が、前記回路基板に電気的に接続され、前記ＵＳＢコネクタがコンピュータに接続された状態で、前記指紋認証感知部により本人確認され所望システムのデータベースにアクセス可能に構成されていることを特徴とする、指紋認証機能付きＵＳＢ接続型ＩＤカード。
【請求項２】
ＩＤカードの筐体の内部にＲＦＩＤが取り付けられており、特定の部屋等への入退室時に本人確認自在に構成されていることを特徴とする、請求項１に記載した、指紋認証機能付きＵＳＢ接続型ＩＤカード。
【請求項３】
ａ）  身分証明用の指紋認証機能付きＵＳＢ接続型ＩＤカードは、薄いカード状の筐体の内部に収納自在なＵＳＢコネクタが、筐体内のフラッシュメモリとコントロールＩＣが実装された回路基板に電気的に接続され、当該ＵＳＢコネクタが前記筐体の外周から突出又は外周に収納自在であると共に、前記筐体の表面又は裏面に一部現出された指紋認証感知部が、前記回路基板に電気的に接続されていること、
ｂ）  前記ＩＤカードの筐体の外周から突出されたＵＳＢコネクタが、コンピュータのＵＳＢ接続ポートに挿し込まれ、コンピュータ上に起動した所望のシステムにおいて、前記指紋認証感知部により本人であることが確認された後、前記所望システムのデータベースにアクセスでき、当該データベースから学習履歴等の所望の本人情報が当該ＩＤカードのフラッシュメモリに記録自在であること、
ｃ）  前記本人情報が記録されたＩＤカードのＵＳＢコネクタが、異なるコンピュータのＵＳＢ接続ポートに挿し込まれ、前記指紋認証感知部により本人であることが確認された後、当該本人情報が閲覧可能であること、
を特徴とする、指紋認証機能付きＵＳＢ接続型ＩＤカードシステム。
【考案の詳細な説明】
【技術分野】
【０００１】
本考案は、履歴書や学生証、社員証、会員証、診察券といった本人確認を行う必要がある場面で、セキュリティー面で高度な情報管理の下、本人情報を記録したり最新のデータに書き換えて使用する各種身分証明用のカード（以下、ＩＤカードともいう）に関し、例えば求職者にとっては、学習履歴、職歴、取得資格等のキャリアに関する本人情報を、ＵＳＢを介してパソコン上の所定システムから安全に書き込んだり新たなデータに書き換えられ、教師や企業の採用担当者にとっては、前記ＩＤカードに書き込まれている本人情報を、ＵＳＢを介してパソコン上で見て人物評価を行う指紋認証機能付きＵＳＢ接続型のＩＤカード及びシステムの技術分野に関する。
【背景技術】
【０００２】
就職するに際しては、本人が手書きで紙製の履歴書を作成し、その履歴書を採用担当者が見て、就職希望者の採用の可否を判断しているのが一般である。
【０００３】
例えば、実用新案登録第３０４５７５２５号公報には、少なくとも応募の動機、応募の目的の欄を有するものであって、各欄には複数の選択事項が印刷してあり、この各選択事項に選択マークが加入できるようになっている履歴書が開示されている。
【０００４】
また、学生証や社員証、会員証、診察券といった本人を確認する身分証明用としては、本人の名前や所属部署等を記載したカードが広く使用されている。その中には、この種のカードとして用紙ではなく、ＩＣカードを使う場合もある。
【０００５】
一方、近年、個人情報を扱う上でのセキュリティー対策として、人間の身体的特徴を用いた生体認証（バイオメトリクス認証）による個人認証手段が種々開発されている。例えば、指紋認証や虹彩認証、声紋認証、手のひら認証、静脈認証などがあるが、その中でも、指紋認証手段は、盗用や複製が不可能であり、前記のような学生証や社員証、会員証、診察券といった本人を確認する際に高いセキュリティーが要求されるシステムに好都合である。
【特許文献１】実用新案登録第３０４５７５２５号公報
【考案の開示】
【考案が解決しようとする課題】
【０００６】
履歴書は、企業の採用担当者にとっては、面識のない人物を評価する判断材料として必要不可欠なものである。そのため、履歴書の記載内容は正確である必要があるが、就職希望者が自分で書いたものであるため、記載内容が過大であったり不実記載もあり、実務に入るまで本人の評価がはっきりとは分らないのが実情である。そのため、別途行う適性検査で判断せざるを得ず、企業側の負担増となっている。
【０００７】
一方、就職希望者としても、履歴書という用紙に最大限の自己ＰＲをしなくてはならないというプレッシャーの下で書く上、用紙の枚数や記載内容が多すぎたり少なすぎたりしても印象が悪くなり、就職希望者側の負担増にもなっている。
【０００８】
この点、前記従来例の実用新案登録第３０４５７５２５号公報記載の履歴書は、応募の動機、応募の目的の欄を有し、各欄には複数の選択事項が印刷してあり、この各選択事項に選択マークが加入できるようになっているため、簡単に履歴書を完成でき、内容も比較的正確で、応募者、募集側の双方にとって便利ではある。しかし、予め設定された所定事項の選択以外に自己のキャリア等を適切かつ確実にＰＲすることは容易ではなく、就職希望者にとっての万全な履歴書には程遠い。
【０００９】
また、学生証や社員証、会員証、診察券といった身分証明用の従来の紙のカードや、本人情報を一度記録したら書き換えが不可能で記録情報量も少ないＩＣカードは、身分証明用のカードとして必要最小限の機能しか発揮しておらず、カード発行後の本人情報の書き換えや多くのデータ記憶が可能で携行できる身分証明カードはない。
【００１０】
ここで、コンピュータの外部記憶装置として、例えば「Ｍｅｍｏｒｙ  Ｓｔｉｃｋ」（メモリースティック）（登録商標）等のＵＳＢ（ユニバーサル・シリアル・バス，Universal Serial Bus）フラッシュメモリ装置が近年普及しているが、このＵＳＢ接続タイプのフラッシュメモリを前記履歴書や身分証明のＩＤカードとして利用できないか問題とされている。
【００１１】
また、前記ＩＤカードを使って所定のシステムを運用する場合、高いセキュリティーを図りつつ、学生や教師、企業担当者等の特定者にのみアクセスを許容する手段として、本出願人は、指紋認証機能を前記ＩＤカードに付与することに着眼した。
【００１２】
したがって、本考案が解決しようとする課題は、高いセキュリティーを図りつつ、求職者にとっては、学習履歴として自分が修得した授業科目、試験成績、取得資格や職歴等のキャリアに関する本人情報を、ＵＳＢを介してコンピュータ上の所定システムのデータベースから安心して書き込んだり最新データに書き換えることができる上、自分が不足しているキャリア等を確認することができ、前記ＵＳＢ接続が容易で、不使用時には嵩ばらずに携行できて便利な指紋認証機能付きＵＳＢ接続型ＩＤカードを提供することにある。
【００１３】
また、企業の採用担当者や教師にとって、高いセキュリティー下で、前記信用ある本人情報を、履歴書に代わる前記ＩＤカードによりＵＳＢを介してパソコン上で見ることができ、公平で正確な人物評価を迅速に行える指紋認証機能付きＩＤカードシステムを提供することを目的とする。
【００１４】
そのようなＩＤカードを学生証や会員証といった各種の身分証明カードとして利用し、ＵＳＢを介してコンピュータ上で高いセキュリティー手段の下、本人確認と本人情報を即座に確認・判断でき、各種場面でのニーズに対応する指紋認証機能付きＩＤカードシステムを提供するものである。
【課題を解決するための手段】
【００１５】
上記課題を解決するための手段として、請求項１記載の考案の指紋認証機能付きＵＳＢ接続型ＩＤカードＡ、Ｂ、Ｃは、薄いカード状の筐体１の内部に収納自在なＵＳＢコネクタ２０を介して、コンピュータ８の間で本人情報ｓに関するデータのやり取りが自在な身分証明用ＩＤカードであり、前記ＵＳＢコネクタ２０は、筐体１内のフラッシュメモリ２１とコントロールＩＣ２２が実装された回路基板２３に電気的に接続され、当該ＵＳＢコネクタ２０が前記筐体１の外周から突出又は外周に収納自在であると共に、前記筐体１の表面１０又は裏面に一部現出された指紋認証感知部２７が、前記回路基板２３に電気的に接続され、前記ＵＳＢコネクタ２０がコンピュータ８に接続された状態で、前記指紋認証感知部２７により本人確認され所望システムのデータベース９０にアクセス可能に構成されていることを特徴とする。
【００１６】
請求項２記載の考案の指紋認証機能付きＵＳＢ接続型ＩＤカードは、前記筐体１の内部にＲＦＩＤ４が取り付けられており、特定の部屋等への入退室時に本人確認自在に構成されていることを特徴とする。
【００１７】
請求項３記載の考案の指紋認証機能付きＵＳＢ接続型ＩＤカードシステムは、
ａ）  身分証明用の指紋認証機能付きＵＳＢ接続型ＩＤカードＡ、Ｂ、Ｃは、薄いカード状の筐体１の内部に収納自在なＵＳＢコネクタ２０が、筐体１内のフラッシュメモリ２１とコントロールＩＣ２２が実装された回路基板２３に電気的に接続され、当該ＵＳＢコネクタ２０が前記筐体１の外周から突出又は外周に収納自在であると共に、前記筐体１の表面１０又は裏面に一部現出された指紋認証感知部２７が、前記回路基板２３に電気的に接続されていること、
ｂ）  前記ＩＤカードＡ、Ｂ、Ｃの筐体１の外周から突出されたＵＳＢコネクタ２０が、コンピュータ８のＵＳＢ接続ポート８０に挿し込まれ、コンピュータ８上に起動した所望のシステムにおいて、前記指紋認証感知部２７により本人であることが確認された後、前記所望システムのデータベース９０にアクセスでき、当該データベース９０から学習履歴等の所望の本人情報ｓが当該ＩＤカードＡ、Ｂ、Ｃのフラッシュメモリ２１に記録自在であること、
ｃ）  前記本人情報ｓが記録されたＩＤカードＡ、Ｂ、ＣのＵＳＢコネクタ２０が、異なるコンピュータ８のＵＳＢ接続ポート８０に挿し込まれ、前記指紋認証感知部２７により本人であることが確認された後、当該本人情報ｓが閲覧可能であることを特徴とする。
【考案の効果】
【００１８】
請求項１記載の本考案の指紋認証機能付きＵＳＢ接続型ＩＤカードは、薄いカード状の筐体の内部に収納自在なＵＳＢコネクタを介して、コンピュータとの間で本人情報に関するデータのやり取りが自在な身分証明用ＩＤカードであって、前記ＵＳＢコネクタは、筐体内のフラッシュメモリとコントロールＩＣが実装された回路基板に接続され、当該ＵＳＢコネクタが前記筐体の外周から突出又は外周に収納自在であるので、ＵＳＢ接続に際しては、通常、筐体内に収納されているＵＳＢスライド体又はＵＳＢ回転体を手指で動かすだけで、同ＵＳＢスライド体等の先端のＵＳＢコネクタが突出され、コンピュータのＵＳＢ接続ポートに難なく接続できる。
【００１９】
しかも、前記筐体１の表面１０等に一部現出された指紋認証感知部２７が、前記回路基板２３に電気的に接続され、ＵＳＢコネクタ２０がコンピュータ８に接続された状態で、前記指紋認証感知部２７により本人確認され所望システムのデータベース９０にアクセス可能に構成され、この薄いＵＳＢ接続型ＩＤカードに当該指紋認証機能が備わっているので、履歴書や学生証、社員証、会員証、診察券といった本人確認を行う必要がある場面で、簡単且つ確実に本人確認が行え、当該ＩＤカードを利用する者のセキュリティー対策に万全が期されている。
【００２０】
本人確認が済んだら、当該ＩＤカードによりコンピュータを利用して、本人情報を記録したり最新のデータに書き換えて使用することができる。ＵＳＢ接続が終了したら、ＵＳＢコネクタを薄いカード状の筐体に収納し、嵩ばらずに携行できて便利である。
【００２１】
請求項２記載の本考案の指紋認証機能付きＵＳＢ接続型ＩＤカードは、筐体の内部にＲＦＩＤが取り付けられているので、特定の部屋等への入退室時に本人確認を簡便かつ確実に行える副次的効果をも有する。この入退出管理により、講座の受講状況を把握したり、企業の社員証として利用することもでき、ＩＤカードの偽造防止にも貢献する。
【００２２】
請求項３記載の本考案の指紋認証機能付きＵＳＢ接続型ＩＤカードシステムは、ＩＤカードの筐体の外周から突出されたＵＳＢコネクタが、コンピュータのＵＳＢ接続ポートに挿し込まれ、主としてインターネットを介してコンピュータ上に起動した所望システムにおいて、当該ＩＤカードの指紋認証感知部により本人であることが確認がされた後に、前記所望システムのデータベースにアクセスし、そのアクセスしたデータベースから学習履歴等の所望の本人情報が当該ＩＤカードのフラッシュメモリに記録自在であるので、例えば求職者は、学習履歴として自分が修得した授業科目、試験成績、取得資格や職歴等のキャリアに関する本人情報を、高セキュリティーの下で安心して、前記システムから当該ＩＤカードに書き込んだり最新データに書き換えて最新の履歴書として使用でき、更には自分が不足しているキャリア等を、いつでも何処でも安心して確認することができ、情報管理の安全性・利便性に優れている。
【００２３】
また、企業の採用担当者にとっては、当該ＩＤカードを利用して、ＵＳＢを介し、指紋認証感知部により企業担当者本人の確認がされた後に、或いはまたパスワードによる確認後、更には指紋認証とパスワードとの併用による確認後に、パソコン上の所望システムのデータベースにアクセスして所望情報を表示させ、希望するキャリアを充当しているか否か等を容易に確認できる。よって、公平で正確な人物評価を迅速に行え、人材のミスマッチの事前防止に大きく貢献する。
【００２４】
さらに、本ＩＤカードシステムによれば、前記ＩＤカードを学生証や会員証といった各種の身分証明カードとして用い、指紋認証感知部を利用してコンピュータ上で本人確認と本人情報を即座に確認・判断できるため、必要に応じ従来のパスワードと併用した指紋認証による本人情報を行うこともでき、情報管理のより高いセキュリティー対策が実現でき、身分確認が必要な各種シーンにも対応する利便性を兼ね備えている。
【考案を実施するための最良の形態】
【００２５】
請求項１〜３に係る指紋認証機能付きＵＳＢ接続型ＩＤカード及び同ＩＤカードシステムの好適な実施形態を、図面にしたがって述べる。
【００２６】
この指紋認証機能付きＵＳＢ接続型ＩＤカードは、名刺サイズで薄いカード状の筐体１の内部に収納自在なＵＳＢコネクタ２０を使用し、指紋認証により本人確認でき、主としてインターネット等のネットワーク９２を介してコンピュータ（通常、パソコン）８との間で本人情報ｓに関するデータのやり取りを、高いセキュリティー下で行う身分証明用（ＩＤ）カードである。以下、当該ＩＤカードとして好適な、窓孔タイプ（符号Ａ）、溝部タイプ（符号Ｂ）、回転タイプ（符号Ｃ）の３つの実施形態について説明する。
【００２７】
図１〜図３は、窓孔タイプの指紋認証機能付きＵＳＢ接続型ＩＤカードＡを示している。
【００２８】
このＩＤカードＡに組み込まれたＵＳＢコネクタ２０は、厚さが約２．５ｍｍの薄型に形成され、インターフェースピン（回路接点）２６を備えており、コンピュータ８のＵＳＢ接続ポート８０に挿し込まれて接続自在に構成されている。インターフェースピン２６は、当該ＵＳＢコネクタ２０の表裏両面又はいずれか片面に備え付けられている。
【００２９】
また、当該ＵＳＢコネクタ２０は、図２に示したように、フラッシュメモリ２１とコントロールＩＣ２２（詳細は省略）が実装された回路基板２３に対し電気的に接続されていると共に、それらを保護する長さ約８５ｍｍで薄い細長形状のベース板部２５に接続されている。このＵＳＢコネクタ２０が前記筐体１の一側面１３から突出又は収納自在となっている。なお、前記一側面１３は、図示例の如く左方の一側面に限定される訳ではなく、右方の一側面でも好適に実施可能である。
【００３０】
筐体１は、たて×よこ×厚さが、５４ｍｍ×８５ｍｍ×３ｍｍで、従来の学生証のようにカード入れや胸ポケットに楽に収納できる薄い長方形状のアルミニウム製で形成されている。当該薄型の筐体１の上部１２内に、左端部に開口２９を有する筒状の薄型収納体２８が設けられている（図３参照）。この薄型収納体２８は、前記ＵＳＢコネクタ２０と同ＵＳＢコネクタ２０に接続されたベース板部２５とより成るＵＳＢスライド体２がスライド移動して収納するに必要かつ十分な大きさに形成されている。そして、筐体１の左方側面１３に形成された嵌挿口１５の近傍に前記薄型収納体２８の端部開口２９が配置されている。また、薄型収納体２８の直上に位置する筐体１の表面１０の一部分が横長の窓孔５（たて×よこ＝１０ｍｍ×３０ｍｍ）に形成されている。
【００３１】
指紋認証感知部２７は、図１に示したように、前記の回路基板２３に電気的に接続されて作動されるように構成され、その本体が前記筐体１の内部に取り付けられている。
【００３２】
ここで、指紋認証感知部２７としては、従来の光学式よりは非光学式のものがよい。本実施形態では、非光学式の中でもいわゆる静電容量式の指紋認証感知部２７、２７’を採用している。但し、この静電容量式に限らず、薄型に実施できればよい。なお、図中符号２７は、指をスライド移動させて指紋を感知する横長状のスイープ型、符号２７’は、指のワンタッチで指紋を感知する略正方形状の面型の静電容量式指紋感知部をそれぞれ示している。
【００３３】
そして、この指紋認証感知部２７又は２７’（以下「指紋認証感知部２７」と総称する）の上面２７ａが、一部切欠して形成された筐体１の表面１０の切欠部１０ａに現出されている。なお、図示を省略した筐体１０の裏面１１に前記のような切欠部１０ａを形成し、指紋認証感知部２７の上面２７ａを現出させたり、表面１０と裏面１１の両面に形成した切欠部１０ａのそれぞれに指紋認証感知部２７の上面２７ａを現出する態様でも好適に実施される。
【００３４】
かくして、当該ＩＤカードＡを利用する求職者等の特定者は、そのＵＳＢコネクタ２０をコンピュータ８のＵＳＢ接続ポート８０に挿し込んで、当該コンピュータ８を利用して所望システムのデータベース９０にアクセスしようとする際、前記指紋認証感知部２７の上面２７ａに自分の指紋を接触させる（図１１参照）。
【００３５】
そうして、指紋認証感知部２７で感知された指紋は指紋データとして読み取られ、コンピュータ８を利用して予め登録されている本人の指紋データと一致して本人であることが確認ができた場合にのみ、コンピュータ８上で起動している所望システムのデータベース９０へのアクセスが可能となり、当該ＩＤカードＡに記録された本人情報ｓが閲覧できるように構成されている。
【００３６】
なお、前記窓孔５に現出されたＵＳＢスライド体２のベース板部２５を左方に押し出してやると、ＵＳＢコネクタ２０が薄型収納体２６内で左方にスライド移動して嵌挿口１５から突出して使用可能状態となる（図２）。使用が終了し、持ち歩く際には、窓孔５に臨むＵＳＢスライド体２のベース板部２５を右方へ引き戻し、嵌挿口１５へ収納しＵＳＢスライド体２を筐体１内に完全に収納させる（図１）。
【００３７】
また、前記窓孔５に現出されたＵＳＢスライド体２のベース板部２５に、突起状のストッパー２４を設けた形態で実施することにより、このストッパー２４に手指を係止させて滑らずにＵＳＢスライド体２を左右に移動させ、ＵＳＢコネクタ２０の突出と収納をスムーズに行うことができる。
【００３８】
さらに、この指紋認証機能付きＵＳＢ接続型ＩＤカードＡの筐体１の内部には、図３に示したようなＲＦＩＤ(Radio frequency identification)４が取り付けられており、図１３に示したような特定の部屋４１の入口にリーダ４０を設置し、同リーダ４０に当該ＩＤカードＡを読み取らせ、前記部屋４１内への入室時に本人確認自在に構成されている。リーダ４０でＩＤカードＡの本人情報ｓがコンピュータ８で読み取られることにより、受講出欠管理等を自動的に行うことができる。
【００３９】
加えて、前記した窓孔タイプの指紋認証機能付きＵＳＢ接続型ＩＤカードＡの筐体１の表面１０には、本人の写真ｐを設けた形態で好適に実施される（以下の溝部タイプ及び回転タイプのＩＤカードＢ、Ｃにおいて同じ）。
【００４０】
次に、図４と図５に示した溝部タイプの指紋認証機能付きＵＳＢ接続型ＩＤカードＢについて説明する。当該溝部タイプの指紋認証機能付きＵＳＢ接続型ＩＤカードＢの基本構造は、上述した窓孔タイプのＵＳＢ接続型ＩＤカードＡと同様である。
【００４１】
特には、指紋認証感知部２７が回路基板２３に電気的に接続されて作動されるように構成され、その本体が前記筐体１の内部に取り付けられている。よって、前記ＩＤカードＡと同様に、当該ＩＤカードＢのＵＳＢコネクタ２０をコンピュータ８のＵＳＢ接続ポート８０に挿し込んで、前記指紋認証感知部２７の上面２７ａに自分の指紋を接触する。当該指紋認証感知部２７で感知された指紋は指紋データとして読み取られ、コンピュータ８を利用して予め登録されている本人の指紋データと一致して本人確認ができた場合にのみ、所望システムのデータベース９０へのアクセスが可能となり、当該ＩＤカードＢに記録された本人情報ｓが閲覧できるように構成されている。その他の重複部分の説明は省略する。
【００４２】
このＩＤカードＢは、上記指紋認証機能付きＩＤカードＡの薄型収納体２８と窓孔５が、細長い溝部６と開口６０で構成されている。筐体１の表面１０の上部１２に、筐体１の巾寸より僅かに短く横に細長い開口６０（たて×よこ＝１０ｍｍ×８４ｍｍ）と、左方側面１３に嵌挿口１６を有し、横断面形状が前記開口６０の部分で若干狭小のあり溝状の溝部６（図８参照）が形成され、当該溝部６の中にＵＳＢスライド体２が開口６０から抜け落ちることなく嵌挿されている。よって、前記筐体１の表面１０の開口６０に現出されたＵＳＢスライド体２のベース板部２５の押し出し又は引き戻しにより、ＵＳＢコネクタ２０が溝部６内で左右にスライド移動して筐体１の嵌挿口１６から突出又は嵌挿口１６に収納自在となっている。
【００４３】
つづいて、図６〜図１０に示した回転タイプの指紋認証機能付きＵＳＢ接続型ＩＤカードＣについて説明する。当該回転タイプのＵＳＢ接続型ＩＤカードＣの基本構造も、上述した窓孔タイプのＵＳＢ接続型ＩＤカードＡと略同じである。特に、指紋認証感知部２７が回路基板２３に電気的に接続されて作動されるように構成され、その本体が前記筐体１の内部に取り付けられている。その他の重複部分の説明は省略する。
【００４４】
この指紋認証機能付きＩＤカードＣは、ＵＳＢコネクタ２０及びベース板部２５が、上記窓孔タイプのＩＤカードＡや溝部タイプのＩＤカードＢのように、薄型収納体２８や溝部６内でスライド移動するのではなく、筐体１の上方で回転することにより筐体１の切欠部７から突出したり、切欠部７に収納される。図示例のＩＤカードＣは、ＵＳＢコネクタ２０と同ＵＳＢコネクタ２０に接続されたベース板部２５（たて×よこ＝１２ｍｍ×４８ｍｍ）とより成るＵＳＢ回転体３が、筐体１の上部１２でピン３０により回動自在に連結されている。加えて、筐体１の表面１０の上部１２の左方コーナー部１４が、たて１４ｍｍ、よこ３０ｍｍに切欠された切欠部７に形成されている。よって、図８に例示したように、前記ＵＳＢ回転体３のベース板部２５の回転により、ＵＳＢコネクタ２０が筐体１の上方において、約１５０度の範囲内で回転して、筐体１の上方に形成された切欠部７から突出又は切欠部７に収納自在に構成されている。
【００４５】
したがって、この回転タイプの指紋認証機能付きＩＤカードＣによれば、コンピュータ８の空いているＵＳＢ接続ポート８０の位置等、ＵＳＢコネクタ２０を接続できる場所に制約がある場合に、当該ＩＤカードＣのＵＳＢコネクタ２０及びベース板部２５を所望の角度に回転させて、向きを変えつつＵＳＢ接続できて好都合である。
【００４６】
また、この回転タイプの指紋認証機能付きＩＤカードＣにおいては、図６に示したようにインターフェースピン２６をＵＳＢコネクタ２０の裏面にのみ設けることにより（同図６Ｂ参照）、不使用時にＵＳＢ回転体３（ベース板部２５）を回転させ切欠部７に収納させた際に、インターフェースピン２６が筐体１のコーナー部１４内に隠れて不意に傷付けられる虞れがなくてよい（図９参照）。なお、当該回転タイプのＩＤカードＣにおいては、図６Ａに示したように、コントロールＩＣ２２を筐体１内部に設ける形態で実施してもよい。
【００４７】
なお、図１０は、上記回転タイプの指紋認証機能付きＩＤカードＣの異なるバリエーションをに示している。筐体１の左方上部１２のコーナー部１４から約１２ｍｍ右方の内側部位の表面１０及び裏面１１が、たて１２ｍｍ、よこ１２ｍｍに切欠された切欠部７’に形成されている。そのため、前記ＵＳＢ回転体３を筐体１内に収納すると、ＵＳＢコネクタ２０のインターフェースピン２６（全長約１０ｍｍ）が、筐体１の前記コーナー部１４に隠れて保護される。一方、ベース板部２５は、筐体１を貫通する形の切欠部７’に収まるので、ＵＳＢ接続するときは、当該ベース板部２５を手指でつまむ形で上方に楽に回転移動させて使用することができる。
【００４８】
次に、前記身分証明用のＩＤカードＡ、Ｂ、Ｃ（以下、図示は符号Ａのみとする。）を利用した指紋認証機能付きＵＳＢ接続型ＩＤカードシステムについて説明する。図１１は当該ＩＤカードシステムの概略図を示している。
【００４９】
前記ＩＤカードＡ、Ｂ、Ｃの筐体１の外周から突出されたＵＳＢコネクタ２０が、図１１に示したコンピュータ８の空いているＵＳＢ接続ポート８０に挿し込まれる。
【００５０】
すると、予め当該ＩＤカードＡ、Ｂ、Ｃに登録されているＵＲＬの所定のサイトに到達して所望のシステムが起動する。次に、コンピュータ８のディスプレイ８１に指紋認証の確認画面が表示されるので（詳細は省略）、当該ＩＤカードＡ、Ｂ、Ｃの指紋認証感知部２７の上面２７ａに自分の指紋を接触する。そうして指紋認証感知部２７で感知された指紋は指紋データとして読み取られ、コンピュータ８を利用して予め登録されている本人の指紋データと一致し本人であることが確認できた場合にのみ、前記システムのデータベース９０へのアクセスが可能となる。
【００５１】
よって、アクセスが許可されたデータベース９０に格納されている学習履歴等の所望の本人情報ｓ（図１２参照）がサーバ９を通じインターネット等のネットワーク９２を介して当該ＩＤカードＡ、Ｂ、Ｃのフラッシュメモリ２１に記録自在となっているものである。
【００５２】
また、前記本人情報ｓが記録されたＩＤカードＡ、Ｂ、Ｃ（ＵＳＢコネクタ２０）は、インターネット９２を介して異なるコンピュータ８・・・のＵＳＢ接続ポート８０に挿し込んで接続でき、高いセキュリティーの下で、求職者等の特定者が当該本人情報ｓをいつでも何処でも安全に閲覧可能になっている。
【図面の簡単な説明】
【００５３】
【図１】窓孔タイプの指紋認証機能付きＵＳＢ接続型ＩＤカードを示した正面図である。
【００５４】
【図２】窓孔タイプの指紋認証機能付きＵＳＢ接続型ＩＤカードの使用状態を示した一部切欠正面図である。
【００５５】
【図３】窓孔タイプの指紋認証機能付きＵＳＢ接続型ＩＤカードを示した左側面図である。
【００５６】
【図４】溝部タイプの指紋認証機能付きＵＳＢ接続型ＩＤカードの使用状態を示した正面図である。
【００５７】
【図５】溝部タイプの指紋認証機能付きＵＳＢ接続型ＩＤカードを示した正面図である。
【００５８】
【図６】Ａ、Ｂは、回転タイプの指紋認証機能付きＵＳＢ接続型ＩＤカードの使用状態を示した一部切欠正面図と裏面図である。
【００５９】
【図７】回転タイプの指紋認証機能付きＵＳＢ接続型ＩＤカードを示した左側面図である。
【００６０】
【図８】Ａ、Ｂは、回転タイプのＵＳＢ接続型ＩＤカードのＵＳＢ回転体の回転要領を示した正面図と裏面図である。
【００６１】
【図９】回転タイプの指紋認証機能付きＵＳＢ接続型ＩＤカードを示した正面図である。
【００６２】
【図１０】異なる回転タイプの指紋認証機能付きＵＳＢ接続型ＩＤカードを示した正面図である。
【００６３】
【図１１】指紋認証機能付きＵＳＢ接続型ＩＤカードシステムの概略図である。
【００６４】
【図１２】指紋認証機能付きＵＳＢ接続型ＩＤカードシステムのデータベースを中心に示した説明図である。
【００６５】
【図１３】指紋認証機能付きＵＳＢ接続型ＩＤカードのＲＦＩＤの使用例を示した説明図である。
【符号の説明】
【００６６】
Ａ、Ｂ、Ｃ    ＩＤカード
ｓ        本人情報
１        筐体
１０      表面
１０ａ    切欠部
１２      上部
１３      一側面（左方側面）
１４      コーナー部
１５      嵌挿口
１６      嵌挿口
２        ＵＳＢスライド体
２０      ＵＳＢ接続コネクタ
２１      フラッシュメモリ
２２      コントロールＩＣ
２３      回路基板
２５      ベース板部
２６      インターフェースピン
２７、２７’  指紋認証感知部
２７ａ    上面
３        ＵＳＢ回転体
４        ＲＦＩＤ
５        窓孔
６        溝部
６０      開口
７        切欠部
８        コンピュータ
８０      ＵＳＢ接続ポート
９        サーバ
９０      データベース
９２      インターネット（ネットワーク）
【図１】
0003135445.tif 000003
【図２】
0003135445.tif 000004
【図３】
0003135445.tif 000005
【図４】
0003135445.tif 000006
【図５】
0003135445.tif 000007
【図６】
0003135445.tif 000008
【図７】
0003135445.tif 000009
【図８】
0003135445.tif 000010
【図９】
0003135445.tif 000011
【図１０】
0003135445.tif 000012
【図１１】
0003135445.tif 000013
【図１２】
0003135445.tif 000014
【図１３】
0003135445.tif 000015